(57)【要約】【課題】放射線源および検出パネルが回転中心軸を間に挟んで対向配置された撮影部を回転させつつ、回転中心軸上に配された被写体の放射線像を撮影する放射線ＣＴ装置により取得された画像信号に対して、この画像信号が表す画像上の被写体形状の変形の補正をより正確に行なえるようにする。【解決手段】画像信号が表す画像上の被写体形状の変形を補正するための補正情報を、撮影時における撮影部２の異なる複数の角速度の各々に対応して複数用意し、撮影時の撮影部２の角速度に対応した補正情報に基づいて、撮影時に取得した画像信号の補正を行う。【選択図】図１
2010227171.tif 000002
【特許請求の範囲】
【請求項１】
円錐状に放射線を発する放射線源および前記放射線を検出する検出パネルが回転中心軸を間に挟んで対向配置された撮影部と、
該撮影部を前記回転中心軸を中心に回転させる駆動手段と、
前記検出パネルに記録された画像信号を読み出す読出手段とを備え、
前記撮影部を回転させつつ、前記回転中心軸上に配された被写体の放射線像を撮影する放射線ＣＴ装置であって、
前記撮影部の異なる複数の角速度の各々に対応する、前記画像信号が表す画像上の被写体形状の変形を補正するための補正情報が格納された補正情報格納手段と、
撮影時の前記撮影部の角速度に対応した前記補正情報に基づいて、撮影時に取得した前記画像信号を補正する補正手段とを備えたことを特徴とする放射線ＣＴ装置。
【請求項２】
前記補正情報が、前記撮影部を異なる複数の角速度の各々で回転させながらファントムを撮影することにより取得した画像信号に基づいて生成された情報であることを特徴とする請求項１記載の放射線ＣＴ装置。
【請求項３】
前記補正情報が、前記撮影部の異なる複数の回転方向の各々に対応するものであり、前記撮影部を各回転方向毎に異なる複数の角速度の各々で回転させながらファントムを撮影することにより取得した画像信号に基づいて生成された情報であって、
前記補正手段が、撮影時の前記撮影部の角速度および回転方向に対応した前記補正情報に基づいて撮影時に取得した前記画像信号を補正するものであることを特徴とする請求項２記載の放射線ＣＴ装置。
【請求項４】
前記補正情報が、前記撮影部の異なる複数の角度位置の各々に対応するものであり、前記撮影部を各回転方向毎に異なる複数の角速度の各々で回転させながら、各角速度毎に複数の角度位置の各々でファントムを撮影することにより取得した画像信号に基づいて生成された情報であって、
前記補正手段が、撮影時の前記撮影部の角速度、回転方向および角度位置に対応した前記補正情報に基づいて撮影時に取得した前記画像信号を補正するものであることを特徴とする請求項３記載の放射線ＣＴ装置。
【請求項５】
円錐状に放射線を発する放射線源および前記放射線を検出する検出パネルが回転中心軸を間に挟んで対向配置された撮影部と、該撮影部を前記回転中心軸を中心に回転させる駆動手段と、前記検出パネルに記録された画像信号を読み出す読出手段とを備え、前記撮影部を回転させつつ、前記回転中心軸上に配された被写体の放射線像を撮影する放射線ＣＴ装置により取得された画像信号に対して画像処理を行う画像処理装置であって、
前記撮影部の異なる複数の角速度の各々に対応する、前記画像信号が表す画像上の被写体形状の変形を補正するための補正情報が格納された補正情報格納手段と、
撮影時の前記撮影部の角速度に対応した前記補正情報に基づいて、撮影時に取得した前記画像信号を補正する補正手段とを備えたことを特徴とする画像処理装置。
【請求項６】
前記補正情報が、前記撮影部を異なる複数の角速度の各々で回転させながらファントムを撮影することにより取得した画像信号に基づいて生成された情報であることを特徴とする請求項５記載の画像処理装置。
【請求項７】
前記補正情報が、前記撮影部の異なる複数の回転方向の各々に対応するものであり、前記撮影部を各回転方向毎に異なる複数の角速度の各々で回転させながらファントムを撮影することにより取得した画像信号に基づいて生成された情報であって、
前記補正手段が、撮影時の前記撮影部の角速度および回転方向に対応した前記補正情報に基づいて撮影時に取得した前記画像信号を補正するものであることを特徴とする請求項６記載の画像処理装置。
【請求項８】
前記補正情報が、前記撮影部の異なる複数の角度位置の各々に対応するものであり、前記撮影部を各回転方向毎に異なる複数の角速度の各々で回転させながら、各角速度毎に複数の角度位置の各々でファントムを撮影することにより取得した画像信号に基づいて生成された情報であって、
前記補正手段が、撮影時の前記撮影部の角速度、回転方向および角度位置に対応した前記補正情報に基づいて撮影時に取得した前記画像信号を補正するものであることを特徴とする請求項７記載の画像処理装置。
【請求項９】
円錐状に放射線を発する放射線源および前記放射線を検出する検出パネルが回転中心軸を間に挟んで対向配置された撮影部と、該撮影部を前記回転中心軸を中心に回転させる駆動手段と、前記検出パネルに記録された画像信号を読み出す読出手段とを備え、前記撮影部を回転させつつ、前記回転中心軸上に配された被写体の放射線像を撮影する放射線ＣＴ装置により取得された画像信号に対して画像処理を行う画像処理方法であって、
前記撮影部の異なる複数の角速度の各々に対応する、前記画像信号が表す画像上の被写体形状の変形を補正するための補正情報を用意し、
撮影時の前記撮影部の角速度に対応した前記補正情報に基づいて、撮影時に取得した前記画像信号を補正することを特徴とする画像処理方法。
【請求項１０】
前記補正情報が、前記撮影部を異なる複数の角速度の各々で回転させながらファントムを撮影することにより取得した画像信号に基づいて生成された情報であることを特徴とする請求項９記載の画像処理方法。
【請求項１１】
前記補正情報が、前記撮影部の異なる複数の回転方向の各々に対応するものであり、前記撮影部を各回転方向毎に異なる複数の角速度の各々で回転させながらファントムを撮影することにより取得した画像信号に基づいて生成された情報であって、
撮影時の前記撮影部の角速度および回転方向に対応した前記補正情報に基づいて撮影時に取得した前記画像信号を補正することを特徴とする請求項１０記載の画像処理方法。
【請求項１２】
前記補正情報が、前記撮影部の異なる複数の角度位置の各々に対応するものであり、前記撮影部を各回転方向毎に異なる複数の角速度の各々で回転させながら、各角速度毎に複数の角度位置の各々でファントムを撮影することにより取得した画像信号に基づいて生成された情報であって、
撮影時の前記撮影部の角速度、回転方向および角度位置に対応した前記補正情報に基づいて撮影時に取得した前記画像信号を補正することを特徴とする請求項１１記載の画像処理方法。
【発明の詳細な説明】
【技術分野】
【０００１】
本発明は、放射線源および検出パネルが回転中心軸を間に挟んで対向配置された撮影部を回転させつつ、回転中心軸上に配された被写体の放射線像を撮影する放射線ＣＴ装置により取得された画像信号に対して、この画像信号が表す画像上の被写体形状の変形の補正を行う放射線ＣＴ装置、画像処理装置および画像処理方法に関するものである。
【背景技術】
【０００２】
従来より、放射線撮影を行うための放射線ＣＴ（Ｃｏｍｐｕｔｅｄ Ｔｏｍｏｇｒａｐｈｙ）装置が知られている。このような放射線ＣＴ装置としては、円錐状に放射線を発する放射線源および２次元検出パネルが回転中心軸を間に挟んで対向配置された撮影部を回転させつつ、回転中心軸上に被験者を配して放射線像を連続撮影し、さらに連続撮影により得られた画像信号を基に画像再構成演算を行うことによって、３次元的放射線ＣＴ像を得るものが知られている（例えば特許文献１等）。
【０００３】
このような放射線ＣＴ装置は、特許文献１に記載の装置のように、ベッドの上に被験者を寝かせ、撮影部を鉛直方向に回転させながら撮影を行なう装置の他にも、撮影部が可動式のアームで保持されており、撮影部の位置や角度を自由に調整可能で、被験者を寝かせた状態で撮影部を鉛直方向に回転させながら撮影を行なう態様のみならず、被験者を直立させた状態で撮影部を水平方向に回転させながら撮影を行なう態様等、種々の撮影を行なうことが可能な装置も提案されている。
【先行技術文献】
【特許文献】
【０００４】
【特許文献１】特開２００５−０５８３０９号公報
【発明の概要】
【発明が解決しようとする課題】
【０００５】
上記のような放射線ＣＴ装置の撮影部は、一般にＣアームの両端に各々放射線源および検出パネルが互いに対向するように取り付けられた構造であるが、このような撮影部を回転させると、遠心力により放射線源および検出パネルが外側に振られてしまい、静止時での位置関係と異なる位置関係となってしまう。このように放射線源および検出パネルの位置関係が変化してしまうと、同じ形状の被写体を撮影した場合でも画像上での被写体の形状が変形してしまうという問題がある。
【０００６】
このような問題を解消するためには、撮影部の静止時と回転時に予め既知の形状のファントムを撮影しておき、静止時での撮影により得られた画像上のファントムの形状と、回転時での撮影により得られた画像上のファントムの形状とを比較して両者の誤差を検出することにより被写体形状の補正情報を取得し、実際の撮影により得られた画像について補正情報に基づいて形状を補正することが考えられる。
【０００７】
また、Ｃアームの両端の重量に偏りがあると、特に撮影部を鉛直方向に近い角度で回転させた場合には、重量の重い方を一番低い位置からＣアームを回転させることにより持ち上げて真上に来るまでと、真上に来てから反対側に降ろすまで、すなわち３６０度回転させる中での回転角度位置毎にＣアームのたわみ方の違いにより放射線源および検出パネルの位置関係が変化してしまうこともある。
【０００８】
上記特許文献１では、このような点も踏まえ、上記の補正情報を回転角度位置毎に取得してより正確に形状を補正することが提案されている。
【０００９】
ところで、上記のような放射線ＣＴ装置では、撮影時における撮影部の回転角速度は必ずしも一定であるとは限らず、撮影メニューに応じて撮影部の回転角速度が変化する場合がある。撮影部の回転角速度が変化すると遠心力の大きさが変わってくるため、回転角速度の違いにより放射線源および検出パネルの位置関係が変化してしまうこともある。
【００１０】
すなわち、上記のように予め補正情報を取得したとしても、補正情報取得時の撮影部の回転角速度と、実際の撮影時の撮影部の回転角速度とが異なると、正確に被写体の形状を補正することができないという問題がある。
【００１１】
本発明は、上記事情に鑑みてなされたものであり、放射線源および検出パネルが回転中心軸を間に挟んで対向配置された撮影部を回転させつつ、回転中心軸上に配された被写体の放射線像を撮影する放射線ＣＴ装置により取得された画像信号に対して、この画像信号が表す画像上の被写体形状の変形の補正をより正確に行うことが可能な放射線ＣＴ装置、画像処理装置および画像処理方法を提供することを目的とするものである。
【課題を解決するための手段】
【００１２】
本発明の放射線ＣＴ装置は、円錐状に放射線を発する放射線源および放射線を検出する検出パネルが回転中心軸を間に挟んで対向配置された撮影部と、撮影部を回転中心軸を中心に回転させる駆動手段と、検出パネルに記録された画像信号を読み出す読出手段とを備え、撮影部を回転させつつ、回転中心軸上に配された被写体の放射線像を撮影する放射線ＣＴ装置であって、撮影部の異なる複数の角速度の各々に対応する、画像信号が表す画像上の被写体形状の変形を補正するための補正情報が格納された補正情報格納手段と、撮影時の撮影部の角速度に対応した補正情報に基づいて、撮影時に取得した画像信号を補正する補正手段とを備えたことを特徴とするものである。
【００１３】
ここで、補正情報は、撮影部を異なる複数の角速度の各々で回転させながらファントムを撮影することにより取得した画像信号に基づいて生成された情報としてもよい。
【００１４】
この場合は、補正情報を、撮影部の異なる複数の回転方向の各々に対応するものとし、撮影部を各回転方向毎に異なる複数の角速度の各々で回転させながらファントムを撮影することにより取得した画像信号に基づいて生成された情報として、補正手段を、撮影時の撮影部の角速度および回転方向に対応した補正情報に基づいて撮影時に取得した画像信号を補正するものとしてもよい。
【００１５】
さらにこの場合は、補正情報を、撮影部の異なる複数の角度位置の各々に対応するものとし、撮影部を各回転方向毎に異なる複数の角速度の各々で回転させながら、各角速度毎に複数の角度位置の各々でファントムを撮影することにより取得した画像信号に基づいて生成された情報として、補正手段を、撮影時の撮影部の角速度、回転方向および角度位置に対応した補正情報に基づいて撮影時に取得した画像信号を補正するものとしてもよい。
【００１６】
本発明の放射線ＣＴ装置は、画像信号の取得を行なう装置と、画像信号に対して画像処理を行う画像処理装置とが別体に構成されていてもよく、本発明の画像処理装置はこのように別体に構成されたものであって、円錐状に放射線を発する放射線源および放射線を検出する検出パネルが回転中心軸を間に挟んで対向配置された撮影部と、撮影部を回転中心軸を中心に回転させる駆動手段と、検出パネルに記録された画像信号を読み出す読出手段とを備え、撮影部を回転させつつ、回転中心軸上に配された被写体の放射線像を撮影する放射線ＣＴ装置により取得された画像信号に対して画像処理を行う画像処理装置であって、撮影部の異なる複数の角速度の各々に対応する、画像信号が表す画像上の被写体形状の変形を補正するための補正情報が格納された補正情報格納手段と、撮影時の撮影部の角速度に対応した補正情報に基づいて、撮影時に取得した画像信号を補正する補正手段とを備えたことを特徴とするものである。
【００１７】
ここで、補正情報は、撮影部を異なる複数の角速度の各々で回転させながらファントムを撮影することにより取得した画像信号に基づいて生成された情報としてもよい。
【００１８】
この場合は、補正情報を、撮影部の異なる複数の回転方向の各々に対応するものとし、撮影部を各回転方向毎に異なる複数の角速度の各々で回転させながらファントムを撮影することにより取得した画像信号に基づいて生成された情報として、補正手段を、撮影時の撮影部の角速度および回転方向に対応した補正情報に基づいて撮影時に取得した画像信号を補正するものとしてもよい。
【００１９】
さらにこの場合は、補正情報を、撮影部の異なる複数の角度位置の各々に対応するものとし、撮影部を各回転方向毎に異なる複数の角速度の各々で回転させながら、各角速度毎に複数の角度位置の各々でファントムを撮影することにより取得した画像信号に基づいて生成された情報として、補正手段を、撮影時の撮影部の角速度、回転方向および角度位置に対応した補正情報に基づいて撮影時に取得した画像信号を補正するものとしてもよい。
【００２０】
また、本発明の画像処理方法は、円錐状に放射線を発する放射線源および放射線を検出する検出パネルが回転中心軸を間に挟んで対向配置された撮影部と、撮影部を回転中心軸を中心に回転させる駆動手段と、検出パネルに記録された画像信号を読み出す読出手段とを備え、撮影部を回転させつつ、回転中心軸上に配された被写体の放射線像を撮影する放射線ＣＴ装置により取得された画像信号に対して画像処理を行う画像処理方法であって、撮影部の異なる複数の角速度の各々に対応する、画像信号が表す画像上の被写体形状の変形を補正するための補正情報を用意し、撮影時の撮影部の角速度に対応した補正情報に基づいて、撮影時に取得した画像信号を補正することを特徴とする方法である。
【００２１】
ここで、補正情報は、撮影部を異なる複数の角速度の各々で回転させながらファントムを撮影することにより取得した画像信号に基づいて生成された情報としてもよい。
【００２２】
この場合は、補正情報を、撮影部の異なる複数の回転方向の各々に対応するものとし、撮影部を各回転方向毎に異なる複数の角速度の各々で回転させながらファントムを撮影することにより取得した画像信号に基づいて生成された情報として、撮影時の撮影部の角速度および回転方向に対応した補正情報に基づいて撮影時に取得した画像信号を補正してもよい。
【００２３】
さらにこの場合は、補正情報を、撮影部の異なる複数の角度位置の各々に対応するものとし、撮影部を各回転方向毎に異なる複数の角速度の各々で回転させながら、各角速度毎に複数の角度位置の各々でファントムを撮影することにより取得した画像信号に基づいて生成された情報として、撮影時の撮影部の角速度、回転方向および角度位置に対応した補正情報に基づいて撮影時に取得した画像信号を補正してもよい。
【００２４】
上記各発明において「画像上の被写体形状の変形を補正する」とは、画像上の被写体の形状の歪を補正する処理に限らず、画像上の被写体を拡大・縮小する処理や、画像上の被写体の位置を移動させる処理等も含むものである。
【発明の効果】
【００２５】
本発明の放射線ＣＴ装置、画像処理装置および画像処理方法によれば、撮影部の異なる複数の角速度の各々に対応する、画像信号が表す画像上の被写体形状の変形を補正するための補正情報を用意し、撮影時の撮影部の角速度に対応した補正情報に基づいて、撮影時に取得した画像信号を補正するようにしたので、撮影時における撮影部の角速度が多様な場合でも、適切に画像上の被写体形状の変形の補正を行うことが可能である。
【００２６】
撮影部を回転させながらファントムを撮影すると、撮影時に生じている全ての誤差要因が取得した画像信号中に反映されることになるため、補正情報を、撮影部を異なる複数の角速度の各々で回転させながらファントムを撮影することにより取得した画像信号に基づいて生成された情報とすれば、撮影時の誤差要因を全て反映した正確な補正情報を取得することが可能である。
【００２７】
このとき、補正情報を、撮影部の異なる複数の回転方向の各々に対応するものとし、撮影部を各回転方向毎に異なる複数の角速度の各々で回転させながらファントムを撮影することにより取得した画像信号に基づいて生成された情報として、撮影時の撮影部の角速度および回転方向に対応した補正情報に基づいて撮影時に取得した画像信号を補正するようにすれば、回転方向の違いにより画像が異なる変形をしたとしても、適切に画像上の被写体形状の変形の補正を行うことが可能である。
【００２８】
さらにこのとき、補正情報を、撮影部の異なる複数の角度位置の各々に対応するものとし、撮影部を各回転方向毎に異なる複数の角速度の各々で回転させながら、各角速度毎に複数の角度位置の各々でファントムを撮影することにより取得した画像信号に基づいて生成された情報として、撮影時の撮影部の角速度、回転方向および角度位置に対応した補正情報に基づいて撮影時に取得した画像信号を補正するようにすれば、角度位置の違いにより画像が異なる変形をしたとしても、適切に画像上の被写体形状の変形の補正を行うことが可能である。
【図面の簡単な説明】
【００２９】
【図１】本発明の一実施の形態による放射線ＣＴ装置の概略構成図
【図２】上記放射線ＣＴ装置の補正情報の構成要素を説明するための図
【図３】補正情報に基づいて画像上の被写体形状の変形を補正する方法を説明するための図
【図４】撮影部が静止時における撮影の状態を示す図
【図５】撮影部が回転時における撮影の状態を示す図（１）
【図６】撮影部が回転時における撮影の状態を示す図（２）
【図７】撮影部が回転時における撮影の状態を示す図（３）
【発明を実施するための形態】
【００３０】
以下、本発明の実施の形態について、図面を用いて説明する。図１は本発明の一実施の形態による放射線ＣＴ装置の概略構成図、図２は上記放射線ＣＴ装置の補正情報の構成要素を説明するための図である。
【００３１】
図１に示すように、放射線ＣＴ装置１は、放射線画像の撮影を行なう撮影装置と、被験者Ｐを支持するための支持台であるベッド２２と、撮影装置に接続され、撮影装置の制御や撮影により得られた画像の処理を行うコンピューター３０と、このコンピューター３０に接続されたモニター３１とから構成される。
【００３２】
撮影装置は、円錐状の放射線（以後、円錐状放射線ともいう）を発する放射線源１０、放射線源１０から発せられた放射線を検出する検出パネル１１、放射線源１０および検出パネル１１を保持するＣアーム１２からなる撮影部２と、この撮影部２を回転させる駆動部１５と、駆動部１５を保持するアーム２０とを有するものである。
【００３３】
撮影部２は回転中心軸Ｃの周りに３６０°回転可能である。また、可動部２０ａを備えたアーム２０は、天井に対し移動可能に取り付けられた基部２１に保持されており、撮影室内において、広範の位置に移動可能であるとともに、撮影部２の回転方向（回転軸角度）も変更可能に構成されている。
【００３４】
放射線源１０と検出パネル１１とは回転中心軸Ｃを間に挟んで対向配置されており、放射線ＣＴ装置１により放射線ＣＴ撮影を行うときには、回転中心軸Ｃ、放射線源１０、検出パネル１１の互いの位置関係は固定される。なお、検出パネル１１を構成する検出画素が並べられた検出面は、平面であってもよいし湾曲をなすものであってもよい。
【００３５】
コンピューター３０は、制御手段としての不図示の中央処理装置（ＣＰＵ）、不図示のＨＤＤやＳＳＤ等のストレージデバイス、不図示のマウスやキーボード等の操作入力手段を備える。
【００３６】
ＣＰＵは、検出パネル１１から取得した画像信号に対して補正処理を行う補正手段としての機能や、放射線源１０の動作制御、検出パネル１１の検出動作および画像信号読出動作の制御、駆動部１５による撮影部２の回転制御、アーム２０および基部２１の駆動制御を行なう制御手段としての機能を備える。
【００３７】
また、ストレージデバイスは、画像信号が表す画像上の被写体形状の変形を補正するための複数の補正情報を格納するための補正情報格納手段としても用いられる。
【００３８】
ここで、補正情報について詳細に説明する。既知の形状のファントムＲを撮影する場合、図４に示すように、撮影部が静止している場合には、画像上においてファントムＲに形状の歪みを生じさせることなく撮影できるが、撮影部が回転している場合には、遠心力等の影響によりファントムＲに形状の歪みを生じさせることなく撮影することが困難となる。
【００３９】
例えば、図５に示すように、重量の重い放射線源１０が遠心力により外側に振られた場合には、画像上においてファントムＲは本来撮影される大きさよりも小さくなってしまう。なお、本実施の形態の放射線ＣＴ装置１のように、放射線源１０がＣアームにより保持されている場合には、図６に示すように、放射線源１０は上方（Ｃアーム中心方向）に傾いて振られることになるため、画像上においてファントムＲは本来撮影される位置よりも下方に移動してしまう。
【００４０】
また、面状の検出パネル１１についても、保持部１１ａ以外の部分が遠心力により外側にたわんでしまうと、図７に示すように、画像上においてファントムＲは本来の形状とは異なる形状に歪んでしまう。
【００４１】
このように、撮影部２を回転させながら撮影を行なうと、上記で挙げたような種々の要因が重なって、画像上での被写体の形状が変形してしまうことになる。
【００４２】
このような問題を解消するためには、撮影部２の静止時と回転時にファントムＲを撮影しておき、静止時での撮影により得られた画像上のファントムＲの形状と、回転時での撮影により得られた画像上のファントムＲの形状とを比較して両者の誤差を検出することにより被写体形状の補正情報を取得し、実際の撮影により得られた画像について補正情報に基づいて形状を補正すればよい。
【００４３】
撮影時により得られた画像上での被写体形状の変形の度合いは、撮影時の撮影部２の角速度や回転方向、また角度位置によっても異なるため、本実施の形態の放射線ＣＴ装置１では、図２に示すように、装置で撮影が行なわれることが想定される回転方向（回転軸角度：ただし水平方向を０°とする）毎に、装置で撮影が行なわれることが想定される範囲で角速度および角度位置を変化させて複数回のファントムの撮影を予め行なっておき、これらに対応した複数の画像信号ＲＩ（ｘ、ｙ）を補正情報として取得し、補正情報格納手段に格納しておく。
【００４４】
この補正情報に基づいて、実際の撮影時に取得した画像信号を補正する方法は、図３に示すように、静止時での撮影により得られた画像上のファントムＲ（ＧＲ）の特徴点Ａ〜Ｌに対して、回転時での撮影により得られた画像上のファントムＲ（ＧＰ）の特徴点Ａ´〜Ｌ´を各々一致させるとともに、特徴点Ａ´〜Ｌ´の移動により周囲の幾何形状もなめらかに移動させるように変形させる処理と同等の処理を、実際の撮影時に取得した画像信号に対して施せばよい。このような特徴点に基づく画像の変形処理方法については、既存の種々の方法を適用することができる。
【００４５】
なお、補正情報格納手段に格納する補正情報としては、上記のようにファントムを撮影した画像信号そのものに限らず、例えば画像信号が表す画像上の各特徴点の誤差情報等、画像上の被写体形状の変形の補正を行なうことが可能な情報であれば、どのような情報でもよい。
【００４６】
また、予め撮影するファントムの形状についても特に制限はなく、画像上の被写体形状の変形の補正を行なうことが可能な形状であれば、どのような形状でもよい。
【００４７】
以下、放射線ＣＴ装置１の作用について説明する。
【００４８】
まず、被験者Ｐをベッド２２上に横たわらせ、被験者Ｐの体の略中心を回転中心軸Ｃとして、この回転中心軸Ｃを挟んで放射線源１０と検出パネル１１とが対称位置に配されるように撮影部２の位置決めを行なう。撮影部２の移動は、撮影者によるコンピューター３０の操作に基づいて行なわれる。
【００４９】
このようにして撮影部２を位置決めした後、撮影者がコンピューター３０を操作することにより撮影部２の撮影時の角速度および撮影開始指示が入力されると、ＣＰＵは撮影部２を回転させて被験者Ｐを通る回転中心軸Ｃの回りに放射線源１０と検出パネル１１とを一体的に回転させつつ撮影を行なわせる。このとき、ＣＰＵには、撮影者により入力された撮影部２の回転方向（回転軸角度）および角速度についての情報が入力される。
【００５０】
撮影部２を回転させつつ所定角度毎に、放射線源１０から発せられ被験者Ｐを通った円錐状放射線の検出パネル１１への曝射および検出パネル１１に記録された画像信号の読出しを複数回繰り返して被験者Ｐを表す放射線画像を連続的に取得する。すなわち、連続撮影における各撮影毎に、検出パネル１１に記録された画像信号が読み出されてコンピューター３０に入力される。このとき、ＣＰＵには、各撮影毎にこの撮影時における撮影部２の角度位置についての情報が入力される。
【００５１】
ＣＰＵでは、回転方向（回転軸角度）、角速度、角度位置に対応した補正情報をストレージデバイス（補正情報格納手段）から取得し、この補正情報に基づいて、上述の通り実際の撮影時に取得した画像信号が表す画像上の被写体形状の変形の補正を行い、補正後の画像信号をストレージデバイスに蓄積させる。
【００５２】
上記の処理が繰り返し実行されて、被験者Ｐを被写体とする連続撮影が終了する。
【００５３】
連続撮影の終了後、ＣＰＵはストレージデバイスに蓄積されている複数の画像信号を再構成して３次元状の放射線ＣＴ画像を生成し、モニター３１上に表示させる。
【００５４】
以上、本発明の放射線ＣＴ装置について詳細に説明したが、本発明は上記実施の形態に限定されるものではない。
【００５５】
例えば、上記実施の形態の装置構成は、被験者の胸部や四肢を撮影可能な比較的大型な装置であったが、このような態様に限らず、例えば乳房の周りを撮影部が回転しながら撮影を行なう比較的小型な装置とする等、どのような装置構成としてもよい。
【００５６】
また、上記実施の形態では、補正情報について、角速度、回転方向および角度位置毎に取得していたが、角速度および回転方向毎に取得する態様、もしくは角速度毎に取得する態様としてもよい。
【００５７】
また、補正手段が補正情報格納手段から補正情報を取得する際に、撮影部の角速度および回転方向については、装置の使用者が入力した情報に基づいて取得を行なっていたが、撮影部に角速度および回転方向を検出するセンサーを設け、撮影時にセンサーにより検出された実際の角速度および回転方向に基づいて補正情報格納手段から補正情報を取得するようにしてもよい。この場合、補正情報については、ファントム撮影時にセンサーにより検出された実際の角速度および回転方向毎に補正情報格納手段に格納する必要がある。
【００５８】
また、補正手段による補正については、画像信号が表す画像上の被写体形状の変形の補正、すなわち座標変換処理のみを行うものに限らず、座標変換処理とともに画素値補正処理を行うようにしてもよい。
【００５９】
この画素値補正処理は、例えば、撮影部が静止時と回転時とで、検出パネルの各画素毎に放射線源からの距離の変動分を求め、撮影時において各画素毎に距離変動分に起因する放射線エネルギーの変動分を補うように逆二乗の法則に従って画素値を補正する等、どのような処理を行ってもよい。
【００６０】
また、上記以外にも、本発明の要旨を逸脱しない範囲において、各種の改良や変形を行なってもよいのは勿論である。
【符号の説明】
【００６１】
１    放射線ＣＴ装置
２    撮影部
１０    放射線源
１１    検出パネル
１２    Ｃアーム
１５    駆動部
２０    アーム
２１    基部
２２    ベッド
３０    コンピューター
３１    モニター
Ｃ    回転中心軸
Ｐ    被験者
【図１】
2010227171.tif 000003
【図２】
2010227171.tif 000004
【図３】
2010227171.tif 000005
【図４】
2010227171.tif 000006
【図５】
2010227171.tif 000007
【図６】
2010227171.tif 000008
【図７】
2010227171.tif 000009